(57)【要約】【課題】メンテナンスの間隔を長くでき、寿命の長い表示装置を提供する。【解決手段】本体１を前方側が開放された箱状とし、その開放部６を表示パネル２で覆う。本体１に照明手段５を内装して、表示パネル２を後方から照らす。表示パネル２の前方側を蓋部材３で開閉自在に覆う。蓋部材３を、中央に開口１３を有するフレーム１２と、このフレーム１２の開口１３を覆う透明板１４とで構成する。開口１３の周縁部と透明板１４との間に止水材１４を介在させて、本体１および表示パネル２への浸水を防止する。【選択図】　図１
0003097384.tif 000002
【実用新案登録請求の範囲】
【請求項１】
本体と、該本体における前方部分に配置された表示パネルと、該表示パネルを前方側から覆うように前記本体に対して開閉自在に設けられた蓋部材とを備えた表示装置において、
前記蓋部材は、中央に開口を有するフレームと、該フレームの開口を覆うようにフレームに沿って配設される透明板とからなり、当該表示装置に対する前方側から前記透明板を通して表示パネルを視認可能とされ、
前記開口の周縁部と透明板との間に、雨水などの装置本体内への浸入を防止するための止水材が介在されたことを特徴とする表示装置。
【請求項２】
前記本体は、前方側が開放された箱状とされ、表示パネルを後方から照らすための照明手段を内装されたことを特徴とする請求項１に記載の表示装置。
【請求項３】
前記表示パネルは、透光性の表示シートの後方側に、照明手段による光を拡散するための拡散板を配置してなることを特徴とする請求項２に記載の表示装置。
【請求項４】
前記本体に、表示パネルを保持するためのパネル保持部材が着脱自在に設けられ、
前記パネル保持部材により、表示パネルの周縁部の全周が覆われたことを特徴とする請求項１、２又は３に記載の表示装置。
【請求項５】
前記本体およびフレームは、アルミニウムから形成されたことを特徴とする請求項１〜４のいずれかに記載の表示装置。
【請求項６】
前記透明板は、合成樹脂から成形されたことを特徴とする請求項１〜５のいずれかに記載の表示装置。
【考案の詳細な説明】
【０００１】
【考案の属する技術分野】
本考案は、例えばビルや駅の構内、街頭において各種の広告や案内を表示するための表示装置に関するものである。
【０００２】
【従来の技術】
一般に、ビルや駅の構内、街頭などには、各種の広告や案内を表示するための表示装置が設けられている。図２に表示装置の一例（特許文献１）を示す。
【０００３】
この表示装置は、箱状のケース本体１０１と、ケース本体１０１における前方部分に形成された開口１０２と、開口１０２に取り付けられた表示パネル１０３と、表示パネル１０３に内装された光源１０４および反射板１０５とを備え、光源１０４および反射板１０５により、表示パネル１０３を後面側から照らすようになっている。
【０００４】
表示パネル１０３は、乳白色の拡散板１０６と、拡散板１０６の前面に配置される表示シート１０７と、表示シート１０７の前面を覆う透明の保護シート１０８とからなり、光源１０４からの照射光を拡散板１０６が拡散して、表示シート１０７の表示内容を視認可能にする。
【０００５】
表示パネル１０３の周縁部は、ケース本体１０１と、ケース本体１０１の前面側に着脱自在な前枠１０９との隙間に保持され、表示パネル１０３がケース本体１０１の開口１０２を覆うようになっている。
【０００６】
【特許文献１】
登録実用新案第３０８１６２２号公報（段落番号００１６〜段落番号００１８、第２図）
【０００７】
【考案が解決しようとする課題】
ところが、上記の表示装置は、表示パネルの周縁をケース本体と前枠との隙間に保持する構造となっているため、表示パネルとケース本体および前枠との間から、ケース本体内や表示シートおよび保護シート間に雨水などが浸入するおそれがある。
【０００８】
ケース本体内や表示シートおよび保護シート間に浸入した水は、ケース本体の腐食や、反射板の汚れ、光源の故障、表示シートの汚れなどを生じさせるおそれがあり、表示装置のメンテナンス時期を早めたり、表示装置の寿命を短くしたりすることが懸念される。
【０００９】
本考案は、メンテナンスの間隔を長くでき、寿命の長い表示装置を提供することを目的とする。
【００１０】
【課題を解決するための手段】
上記課題に鑑み、本考案は、本体と、この本体における前方部分に配置した表示パネルとを備えた構造を前提とし、表示パネルを前方側から覆う蓋部材を本体に対して開閉自在に設けて、本体および表示パネルへの浸水を防止した表示装置を提供するものである。
【００１１】
蓋部材を、中央に開口を有するフレームと、このフレームの開口を覆うようにフレームに沿って配設される透明板とから構成し、この表示装置に対する前方側から透明板を通して表示パネルを視認可能とする。開口の周縁部と透明板との間に、雨水などの装置本体内への浸入を防止するための止水材を介在させれば、本体および表示パネルへの浸水を防止することができる。
【００１２】
本体を前方側が開放された箱状として、この本体に表示パネルを後方から照らすための照明手段を内装すれば、本考案のより好適な態様を提供することができる。つまり、浸入した水が滞留しやすい箱状の本体と、浸入した水により故障しやすい照明手段とを備えた表示装置において、その本体への浸水を防止することができる。
【００１３】
表示パネルを、透光性の表示シートの後方側に、照明手段による光を拡散するための拡散板を配置した構成とする。そうすれば、表示シートを交換して表示内容を変更するときにも拡散板を配置したままにすることができるので、拡散板により、照明手段を配置した空間を覆って、照明手段付近への浸水をより確実に防止することができる。
【００１４】
また、本体に、表示パネルを保持するためのパネル保持部材を着脱自在に設けて、このパネル保持部材により、表示パネルの周縁部の全周を覆う。そうすれば、パネル保持部材により、表示パネルと本体との隙間を覆うことができ、本体への浸水をより確実に防止することができる。
【００１５】
本体およびフレームをアルミニウムから形成すれば、耐水性を高めることができる。透明板を合成樹脂から成形すれば、外部から加わった衝撃などによる破損を防止することができる。
【００１６】
また、本体およびフレームをアルミニウムから形成することにより、あるいは透明板を合成樹脂から成形することにより、表示装置を軽量化することができる。本体およびフレームをアルミニウムから形成し、透明板を合成樹脂から成形することにより、表示装置のより一層の軽量化が図れる。
【００１７】
【考案の実施の形態】
以下、本考案に係る表示装置の実施の形態について、図面を用いて説明する。図１は、本考案の一実施形態である表示装置の斜視図である。
【００１８】
この表示装置は、アルミニウムからなる本体１と、本体１に対する前方部分に配置された表示パネル２と、表示パネル２を前方側から覆う蓋部材３と、蓋部材３から表示パネル２側への浸水を阻止する止水材４と、表示パネル２を後方から照らすための照明手段５とを備えている。
【００１９】
本体１は、前方側が開放された箱状とされ、その長方形の開放部６を取り囲むように、表示パネル２を受ける受け部７が形成されている。受け部７には、開放部６の上下左右に位置する部分ごとに、表示パネル２を保持するための合計４本のパネル保持部材８が着脱自在に取り付けられる。
【００２０】
パネル保持部材８は、アルミニウムを押し出し成形してなり、側片８ａと前片８ｂとからなる断面Ｌ字形とされる。このパネル保持部材８は、その前片８ｂと受け部７との間に表示パネル２の周縁部を位置させて、側片８ａをビス９で受け部７の外側面に固定される。なお、パネル保持部材８の端部は、その前片８ｂを斜めにカットされ、開放部６のコーナーにおける前片８ｂ同士の重なりを防止している。
【００２１】
表示パネル２は、有色かつ透光性の表示シート１０の後方側に、例えば乳白色のポリアクリル樹脂からなる拡散板１１を配置してなる。表示シート１０は、色分けによる表示内容を有し、拡散板１１で拡散された照明手段５からの光により、表示シート１０の表示内容が視認される。表示パネル２の周縁部は、その全周をパネル保持部材８で覆われ、本体１内への浸水と、表示シート１０および拡散板１１間への浸水とを防止する。
【００２２】
表示パネル２の表示内容を変えるとき、４本のパネル保持部材８のうちのいずれかを取り外し、表示シート１０を受け部７に沿ってスライドさせるようにして交換する。このとき、本体１の開放部６は、拡散板１１によって覆われたままである。
【００２３】
蓋部材３は、アルミニウムからなるロ字形のフレーム１２と、フレーム１２の中央の開口１３を覆うようにフレーム１２に沿って配設される透明板１４とから構成される。フレーム１２は、側片１２ａと前片１２ｂとからなる断面Ｌ字形とされ、このフレーム１２を蝶番などで本体１に連結することにより、蓋部材３が本体１に対して開閉自在とされる。
【００２４】
透明板１４は、ポリカーボネートなどの透明な合成樹脂から成形され、この透明板１４を通して前方側から表示パネル２を視認可能とされる。透明板１４の周縁部は、断面Ｌ形の押圧片１５により、止水材４を介在させてフレーム１２の前片１２ｂの後面に押圧される。これにより、透明板１４がフレーム１２に固定され、止水材４により、フレーム１２と透明板１４との隙間から表示パネル２側への雨水などの浸入が防止される。
【００２５】
照明手段５は、光源としての蛍光灯１６と、蛍光灯１６の光を表示パネル２に向けるための例えば白色の反射板１７とから構成され、これらが本体１に内装されている。
【００２６】
上記構成によれば、表示パネル２を開閉自在な蓋部材３で覆うので、蓋部材３を開くことにより、表示シート１０を交換して表示内容を変えることができる。蓋部材３を構成するフレーム１２と透明板１４との間に止水材４を介在させるので、フレーム１２および透明板１４間の隙間からの表示パネル２側への浸水を防止でき、雨水などによる表示パネル２の汚れを防止することができる。
【００２７】
蓋部材３を開いたときなどに表示パネル２側に浸水したときであっても、表示パネル２の周縁部の全周をパネル保持部材８で覆うので、本体１の内部や、表示シート１０および拡散板１１間への浸水を防止でき、拡散板１１の汚れや、蛍光灯１６の故障、反射板１７の汚れなどを防止することができる。また、表示内容を変えるとき、表示シート１０だけを交換すればよいので、本体１の内部を露出させずにすむ。
【００２８】
本体１および蓋部材３をアルミニウムから形成するので、鋼製のものと比較して、その耐水性を良好にすることができると共に、表示装置を軽量化することができる。透明板１４を合成樹脂から形成するので、ガラス製のものと比較して、衝撃などによる破損を生じさせにくくすることができると共に、表示装置を軽量化することができる。また、本体１および蓋部材３をアルミニウムから形成し、かつ透明板１４を合成樹脂から形成するので、表示装置のより一層の軽量化を図ることができる。
【００２９】
なお、本考案は、上記の実施の形態に限定されるものではなく、本考案の範囲内において、適宜変更を加えることができる。例えば、蛍光灯１６の代わりに他の光源を設けてもよく、照明手段５を設けなくてもよい。
【００３０】
透明板１４の周縁部をフレーム１２の後面に位置させる代わりに、透明板１４をフレーム１２の開口１３よりもわずかに小さく形成し、透明板１４の端面と開口１３の内周面とを対向させて、両者間に止水材４を介在させるようにしてもよい。
【００３１】
本体１および蓋部材３のフレーム１２は、アルミニウムだけでなく、あらゆる素材から形成することができる。透明板１４は、合成樹脂から形成する代わりに、ガラスなどの透明な他の素材から形成してもよい。
【００３２】
【考案の効果】
以上の説明から明らかな通り、本考案によると、本体の前方に配置した表示パネルを開閉自在に覆う蓋部材を、中央に開口を有するフレームと、その開口を覆う透明板とから構成し、開口の周縁部と透明板との間に止水材を介在させている。これにより、表示パネルの汚れや、本体に内装した照明手段の汚れおよび故障を防止することができる。
【００３３】
その結果、表示装置のメンテナンスの間隔を長くすると共に、表示装置の寿命を長くすることができる。
【図面の簡単な説明】
【図１】本考案の表示装置の斜視図
【図２】従来の表示装置の断面図
【符号の説明】
１　　本体
２　　表示パネル
３　　　蓋部材
４　　止水材
５　　照明手段
８　　パネル保持部材
１０　表示シート
１１　拡散板
１２　フレーム
１３　開口
１４　透明板
【図１】
0003097384.tif 000003
【図２】
0003097384.tif 000004